(57)【要約】【課題】空気電池を屋外で使用する場合に好適な電池収納箱を提供する。【解決手段】電池収納箱１は、空気電池１０を着脱自在に収容する内箱３と、内箱３の周囲に、空気を利用した断熱空間Ｓ１〜Ｓ５を空けて内箱３を囲う外箱４とを備えている。外箱４は、内箱３の少なくとも前後左右に渡って断熱空間Ｓ１〜Ｓ４を形成すると共に、内箱３内に外部の空気を出入りさせる通気口（孔８Ｂ等）を有している。【選択図】図３
2019185990.tif 000002
【特許請求の範囲】
【請求項１】
空気電池を収納する電池収納箱において、
前記空気電池を着脱自在に収容する内箱と、
前記内箱の周囲に、空気を利用した断熱空間を空けて前記内箱を囲う外箱とを備え、
前記外箱は、前記内箱の少なくとも前後左右に渡って前記断熱空間を形成すると共に、前記内箱内に外部の空気を出入りさせる通気口を有することを特徴とする電池収納箱。
【請求項２】
前記外箱は、前記内箱との間に、前記内箱の前後左右に渡って前記断熱空間を形成する側壁と、
前記側壁によって囲まれる内部空間を、上方から開閉自在に覆う蓋体とを有し、
前記蓋体を閉じた際に、前記蓋体が前記側壁の一部に当接し、前記蓋体と前記側壁の他の部分との間に、前記通気口として機能する隙間を有していることを特徴とする請求項１に記載の電池収納箱。
【請求項３】
当該電池収納箱から下方に突出する足部を備え、
前記内箱の底板には、前記通気口として機能する孔が設けられると共に、前記孔からの異物の進入を防止するフィルタが設けられることを特徴とする請求項１又は２に記載の電池収納箱。
【請求項４】
前記内箱の底板には、前記空気電池をフローティング支持する支持部材が設けられることを特徴とする請求項３に記載の電池収納箱。
【請求項５】
前記内箱の前後左右に位置する前記断熱空間のいずれかは、下方が開放し、
前記下方から流入した空気を前記内箱内に流入させる開口部が設けられていることを特徴とする請求項１乃至４のいずれか一項に記載の電池収納箱。
【請求項６】
前記内箱の前後左右に位置する前記断熱空間のいずれかには、前記空気電池から出力される直流電力を所定電力に変換し、前記電力を負荷に供給する電源ユニットが収容され、
前記電源ユニットを収容する前記断熱空間と、前記蓋体との間には、密閉用パッキンが設けられていることを特徴とする請求項２に記載の電池収納箱。
【請求項７】
前記電池収納箱は、中空構造を有する板材で形成されていることを特徴とする請求項１乃至６のいずれか一項に記載の電池収納箱。
【請求項８】
前記電池収納箱の上面には、前記空気電池に注液する液体を入れたボトルを収容可能で、且つ、直射日光による電池収納箱内の温度上昇を抑制可能な中空の箱体が配置されることを特徴とする請求項１乃至７のいずれか一項に記載の電池収納箱。
【発明の詳細な説明】
【技術分野】
【０００１】
本発明は、屋外用の電池収納箱に関するものである。
【背景技術】
【０００２】
空気電池をダンボール製の外箱に収納した電池ボックスが知られている（例えば、特許文献１）。この電池ボックスの外箱は、複数の空気電池を収納すると共に、これら空気電池と外箱の上蓋との間に空くスペースにＤＣ／ＤＣコンバータを収納し、側面に空気を出入りさせる開口部を有している。
【先行技術文献】
【特許文献】
【０００３】
【特許文献１】特許第５６９０４４３号公報
【発明の概要】
【発明が解決しようとする課題】
【０００４】
ところで、従来の構成は、屋外で使用した場合、直射日光等の影響で空気電池が温度上昇し、また、雨水等が内部に浸入してしまう。
そこで、本発明は、空気電池を屋外で使用する場合に好適な電池収納箱を提供することを目的とする。
【課題を解決するための手段】
【０００５】
上述した課題を解決するため、本発明は、空気電池を収納する電池収納箱において、前記空気電池を着脱自在に収容する内箱と、前記内箱の周囲に、空気を利用した断熱空間を空けて前記内箱を囲う外箱とを備え、前記外箱は、前記内箱の少なくとも前後左右に渡って前記断熱空間を形成すると共に、前記内箱内に外部の空気を出入りさせる通気口を有することを特徴とする。
【０００６】
上記構成において、前記外箱は、前記内箱との間に、前記内箱の前後左右に渡って前記断熱空間を形成する側壁と、前記側壁によって囲まれる内部空間を、上方から開閉自在に覆う蓋体とを有し、前記蓋体を閉じた際に、前記蓋体が前記側壁の一部に当接し、前記蓋体と前記側壁の他の部分との間に、前記通気口として機能する隙間を有してもよい。
【０００７】
上記構成において、当該電池収納箱から下方に突出する足部を備え、前記内箱の底板には、前記通気口として機能する孔が設けられると共に、前記孔からの異物の進入を防止するフィルタが設けられてもよい。
【０００８】
上記構成において、前記内箱の底板には、前記空気電池をフローティング支持する支持部材が設けられてもよい。
【０００９】
上記構成において、前記内箱の前後左右に位置する前記断熱空間のいずれかは、下方が開放し、前記下方から流入した空気を前記内箱内に流入させる開口部が設けられてもよい。
【００１０】
上記構成において、前記内箱の前後左右に位置する前記断熱空間のいずれかには、前記空気電池から出力される直流電力を所定電力に変換し、前記電力を負荷に供給する電源ユニットが収容され、前記電源ユニットを収容する前記断熱空間と、前記蓋体との間には、密閉用パッキンが設けられてもよい。
【００１１】
上記構成において、前記電池収納箱は、中空構造を有する板材で形成されてもよく、この板材をプラスチックダンボールとしてもよい。
【００１２】
上記構成において、前記電池収納箱の上面には、前記空気電池に注液する液体を入れたボトルを収容可能で、且つ、直射日光による電池収納箱内の温度上昇を抑制可能な中空の箱体が配置されてもよい。
【発明の効果】
【００１３】
本発明の電池収納箱は、空気電池に十分な空気を供給できると共に、直射日光等による内箱内の温度変化を抑えることができるので、空気電池を屋外配置する場合に好適な電池収納箱を提供可能になる。
【図面の簡単な説明】
【００１４】
【図１】本発明の実施形態に係る電池収納箱の正面図である。
【図２】電池収納箱の上面図である。
【図３】蓋体を開いた状態の電池収納箱を上方から見た図である。
【図４】図３の電池収納箱を側方から見た図である。
【図５】図２のＶ−Ｖ断面図である。
【図６】図２のＶＩ−ＶＩ断面図である。
【図７】空気電池の正面図である。
【図８】電池ボックス内の各空気電池の断面図である。
【図９】（Ａ）は収容ボックスを備えた電池収納箱の正面図、（Ｂ）は側面図である。
【発明を実施するための形態】
【００１５】
以下、図面を参照して本発明の一実施の形態について説明する。
図１は本発明の実施形態に係る電池収納箱の正面図であり、図２は上面図である。
この電池収納箱１は、電池ボックス２を着脱自在に収納する直方体形状の収納箱であり、屋外に配置・使用することが可能である。例えば、この電池収納箱１は、災害によって停電が生じた場合にも使用することが望まれる機器に電力を供給する非常用電源として使用される。
【００１６】
図１、図２及び後述する各図に示す上下等の各方向は、電池収納箱１を使用するときの各方向に対応している。例えば、左右方向は、この電池収納箱１の長手方向と一致し、電池収納箱１の左右両端には、この電池収納箱１を移動する際にユーザが把持する取っ手を設けても良い。前方は、この電池収納箱１に各種の作業（電池ボックス２の交換等）を行うユーザ側であり、後方は、この電池収納箱１の設置場所を考慮し、例えば壁に寄せて配置する際の壁側とされる。但し、各方向は使用状況等によって適宜に変更してもよい。
【００１７】
電池ボックス２は、複数の空気電池１０（後述する図７、図８）を支持するユニットである。この電池ボックス２を交換することによって、複数の空気電池１０をまとめて交換することが可能になる。この電池ボックス２は、複数の空気電池１０をまとめて支持し、且つ、各空気電池１０の少なくとも一部を露出させる構成を具備する範囲で任意の構成を適用可能である。
【００１８】
電池収納箱１は、電池ボックス２を着脱自在に収容する内箱３と、内箱３の周囲に、空気を利用した断熱空間を空けて内箱３を囲う外箱４とを備えており、プラスチックダンボールで製作されている。プラスチックダンボールは、ポリプロピレン製の中空構造を有するシートであり、水が浸透せず、軽量で、容易に折り曲げ自在な素材である。
【００１９】
電池収納箱１を構成する各パーツは、プラスチックダンボールを切断し、適宜に折り曲げることによって製作される。また、各パーツは、熱溶着、又はプラスチック製のリベット又はクリップ等の公知の留め具（図１中、符号５で示す）によって互いに接合される。このため、電池収納箱１を金属製にする場合と比べ、所望の強度を得ながら軽量化でき、また、樹脂成型品のような金型費等のイニシャルコストの発生を回避できる。
【００２０】
内箱３は、上方が開口する矩形の箱体に形成されており、地面Ｇに対して水平な矩形板状の底板３Ａと、底板３Ａから立設して電池ボックス２の前後左右を覆う矩形板状の側壁３Ｂとを有している。
外箱４は、上方が開口する矩形の箱体４Ａと、箱体４Ａを上方から開閉自在に覆う蓋体４Ｂとを有し、複数の足部４Ｃによって箱体４Ａが地面Ｇから浮かせて支持される。蓋体４Ｂは、図１に示すように、複数の留め具５によって箱体４Ａに接合され、蓋体４Ｂの一部が折れ曲がることによって、別体のヒンジ部品を設けることなく開閉可能である。
【００２１】
外箱４の箱体４Ａは、地面Ｇに対して水平な矩形板状の底板５Ａと、底板５Ａの外周縁から立設する矩形板状の側壁５Ｂとを有している。外箱４の底板５Ａと、内箱３の底板３Ａとは同一部品でもよいし、別部品でもよい。以下、説明の便宜上、内箱３の底板３Ａについては「内側底板３Ａ」と表記し、内箱３の側壁３Ｂについては「内側側壁３Ｂ」と表記する。
【００２２】
図２に示すように、内側側壁３Ｂは、電池ボックス２の前後左右に位置する内側前壁３Ｆ、内側後壁３Ｇ、内側左壁３Ｌ、及び内側右壁３Ｒとを有している。
外箱４の側壁５Ｂは、内側前壁３Ｆとの間に隙間Ｓ１を空けて前方に配置される前壁５Ｆと、内側後壁３Ｇとの間に隙間Ｓ２を空けて後方に配置される後壁５Ｇと、内側左壁３Ｌとの間に隙間Ｓ３を空けて左方に配置される左壁５Ｌと、内側右壁３Ｒとの間に隙間Ｓ４を空けて右方に配置される右壁５Ｒとを有している。
【００２３】
各隙間Ｓ１〜Ｓ４に対応する空間は空洞とされ、各空洞は空気で満たされる。これにより、各隙間Ｓ１〜Ｓ４に対応する空間は、空気による断熱効果が得られる断熱空間となる。以下、各隙間Ｓ１〜Ｓ４に対応する空間を断熱空間Ｓ１〜Ｓ４と表記する。
【００２４】
図３は蓋体４Ｂを開いた状態の電池収納箱１を上方から見た図である。なお、図３では電池ボックス２を省略している。
図３に示すように、内箱３の前後左右に渡って断熱空間Ｓ１〜Ｓ４が形成されているので、直射日光等の影響による内箱３内の温度上昇を抑えることが可能になる。これにより、内箱３内の電池ボックス２の温度上昇を抑えることができる。また、冬期及び夏期においても、外空間よりも内箱３内の温度を安定させることができる。
【００２５】
蓋体４Ｂは、電池収納箱１の上面視で外箱４よりも大型に形成される。これによって、蓋体４Ｂを閉じることによって、上方からの雨水等の浸入を防止すると共に、蓋体４Ｂと外箱４との間に空気が出入りする隙間（後述する図５の隙間８Ｄの一部等に相当）を確保できる。
また、蓋体４Ｂには、蓋体４Ｂを閉じた際に、内箱３内の電池ボックス２の上面に当接する複数のクッション部材６Ａが設けられる。これによって、蓋体４Ｂを閉じた際には、蓋体４Ｂと電池ボックス２との間に、クッション部材６Ａが介挿される隙間Ｓ５（後述する図５）が形成され、この隙間Ｓ５も、空気を利用した断熱空間として機能する。したがって、蓋体４Ｂに照射された直射日光等の影響による内箱３内の温度上昇も抑えることができる。
また、蓋体４Ｂの内面には、蓋体４Ｂを閉じた際に、断熱空間Ｓ２の上方開口を閉塞する密閉用パッキン６Ｂ（図３中、ハッチングを付して示している）も設けられている。
【００２６】
図４は図３の電池収納箱１を側方から見た図である。なお、図４には電池ボックス２を二点鎖線で示している。
図３及び図４に示すように、断熱空間Ｓ２内には、電池ボックス２内の空気電池１０から出力される直流電力を所定電力に変換し、変換後の電力を負荷に供給する電源ユニット７が収容される。この電源ユニット７は、断熱空間Ｓ２の上方に位置するパネル７Ａと、パネル７Ａの裏側に設けられた実装基板とを有しており、パネル７Ａに変換された電力を出力する出力端子等が設けられている。
断熱空間Ｓ２を利用して電源ユニット７を配置するので、電源ユニット７の配置スペースを別途設ける場合と比べて電池収納箱１の小型化が可能であり、かつ、直射日光等の影響による電源ユニット７の温度上昇を抑えることができる。
なお、前記直流電力を所定電力に変換する電源ユニットとしては、コンバータ（ＤＣ−ＤＣコンバータ）やインバータ（ＤＣ−ＡＣインバータ）を用いることができる。
【００２７】
断熱空間Ｓ２の上方開口は、蓋体４Ｂに設けた密閉用パッキン６Ｂによって閉塞されるので、断熱空間Ｓ２の独立性を高めて周囲からの断熱性及び密閉性をより高めることができる。密閉性を高めることができるので、空気電池１０の反応ガス等が断熱空間Ｓ２に流入する事態を効果的に避けることもできる。
また、断熱空間Ｓ２を形成する内側後壁３Ｇ、内側左壁３Ｌ、内側右壁３Ｒ及び後壁５Ｇに対応する箇所の上端にも密閉用パッキン６Ｃ（図３、図４参照）が設けられている。このため、電源ユニット７の出力端子に接続された電源ケーブルを密閉用パッキン６Ｃ、及び６Ｂの両方で挟むことで、断熱空間Ｓ２の密閉性を十分に確保する。なお、密閉用パッキン６Ｃ、６Ｂはゴム製パッキン等の公知のパッキンを広く適用可能である。
【００２８】
図３及び図４に示すように、内側底板３Ａには、電池ボックス２をフローティング支持する複数の支持部材８Ａが設けられると共に、各支持部材８Ａの間に、内箱３内に空気を流入させる通気口として機能する複数の孔８Ｂ（図３参照）が設けられている。これら支持部材８Ａによって、空気電池１０が位置決めされると共にフローティング支持され、かつ、孔８Ｂにより内箱３内に下方からの空気を流入させることができる。
【００２９】
また、内側底板３Ａには、複数の孔８Ｂを覆うフィルタ８Ｃ（図３中、二点鎖線で示す）が載置される。これらフィルタ８Ｃは、通気性を有する一方で各孔８Ｂからの虫等の異物の進入を遮断する。上述したように、電池収納箱１は、足部４Ｃによって地面Ｇにフローティング支持されるので、地面Ｇの水分を電池収納箱１内に浸入させずに空気を内部に流入させ易くなる。
【００３０】
図５は図２のＶ−Ｖ断面図である。ここで、図４、図５に示すように、外箱４の左右の側壁（左壁５Ｌ、右壁５Ｒ）は、前後の側壁（前壁５Ｆ、後壁５Ｇ）よりも低く形成されている。また、内箱３の左右の側壁（内側左壁３Ｌ、内側右壁３Ｒ）についても、外箱４の前後の側壁（前壁５Ｆ、後壁５Ｇ）よりも低く形成されている。これによって、図５に示すように、蓋体４Ｂと、左右の側壁（左壁５Ｌ、右壁５Ｒ）との間には、空気が出入りする通気口として機能する隙間８Ｄが形成される。
つまり、蓋体４Ｂを閉じた際に、蓋体４Ｂが側壁５Ｂの一部に当接し、蓋体４Ｂと側壁５Ｂの他の部分との間に、通気口として機能する隙間８Ｄが形成される。
【００３１】
ここで、図５中、矢印は、内側底板３Ａに設けられた孔８Ｂからの空気の流れの一例を示している。図５に示すように、孔８Ｂから流入した空気は、内箱３から左右の隙間８Ｄを通って外部に向けて流れることが可能である。
【００３２】
図６は図２のＶＩ−ＶＩ断面図である。図６に示すように、断熱空間Ｓ１〜Ｓ４のうち断熱空間Ｓ１は下方が開口している。また、断熱空間Ｓ１と内箱３内との間を仕切る仕切り部材である内側前壁３Ｆには、図６に空気の流れを矢印で示すように、断熱空間Ｓ１内に流入した空気を、内箱３内に導入させる開口部８Ｅが形成されている。これにより、前側からの直射日光等の影響による内箱３内の温度上昇を抑えながら、内箱３内に空気を流入させることができる。
このように、本構成では、内箱３内に外部の空気を出入りさせる通気口として機能する孔８Ｂ、隙間８Ｄ及び開口部８Ｅを有するので、空気電池１０に十分な空気を供給できると共に、電池反応で発生したガスや熱を外部へ排出することができる。また、内箱３の少なくとも前後左右に渡って断熱空間Ｓ１〜Ｓ４を有するので、直射日光等による内箱３内の温度変化を効果的に抑えることができる。
【００３３】
（空気電池について）
次いで、電池収納箱１に収納される空気電池１０の一例を説明する。
図７は空気電池１０の正面図であり、図８は電池ボックス２内の各空気電池１０の断面図である。
空気電池１０は、中空箱形状の外装体１１（電槽、電池ケースとも称する）と、外装体１１外に露出する空気極１３と、外装体１１内に収容される金属極１５（図８）とを備えている。この空気電池１０は、金属極１５にマグネシウム合金を使用したマグネシウム空気電池であり、電解液は塩化ナトリウム水溶液である。この空気電池１０は、外装体１１内に電解液が注液されることによって、空気極１３が正極として作用し、金属極１５が負極として作用する一次電池である。なお、図８中、符号ＵＬは電解液の上面位置を示している。
【００３４】
外装体１１は、外装体１１の底面を構成する底板部２１と、前面を構成する前壁部２２と、後面を構成する後壁部２３（図８）と、左右側面を構成する左右の側壁部（左壁部、右壁部）２４と、上面を構成する上板部２５とを一体に有している。前壁部２２及び後壁部２３は、上下方向よりも左右方向に長い同一形状の面（横長面）であって、互いに平行に配置され、外装体１１の中で最大の面に形成されている。
前壁部２２及び後壁部２３には、空気極１３で覆われる開口部２２Ｋが設けられている。この空気電池１０では、一枚の金属極１５の両側に空気極１３を配置するので、空気極面積を広くすることができる。なお、空気電池１０は、一枚の金属極１５と一枚の空気極１３を配置した構成でもよく、各極板の枚数は限定されない。
【００３５】
外装体１１は、紙を含有したシート材を折り曲げることによって形成される。具体的には、底板部２１は、図８に示すように、側面視で下方凸のＶ字形状に形成され、これによって、下方凸の部分２１Ｔにより金属極１５の下端を位置決めする。
また、上板部２５は、前壁部２２及び後壁部２３の上端を図８に示すように折り曲げることによって形成される。この上板部２５は、前壁部２２、及び後壁部２３側から金属極１５の上部を挟持するように交互に金属極１５の手前で或いは金属極１５を超えて下方に折り曲げられた折り曲げ部２５Ａ、２５Ｂ、２５Ｃ、２５Ｄを有し、これら折り曲げ部２５Ａ〜２５Ｄによって金属極１５の上部を支持する。これによって、上板部２５は、金属極１５を支持する支持部材を兼ねている。
【００３６】
なお、折り曲げ部２５Ａ、２５Ｃが前壁部２２側を折り曲げた部分であり、折り曲げ部２５Ｂ、２５Ｄが後壁部２３側を折り曲げた部分である。金属極１５の両側には、同一幅の隙間ＳＦ、ＳＲが設けられ、これら隙間ＳＦ、ＳＲに対応する空間内に電解液が満たされる。
【００３７】
外装体１１となるシート材は、基材を構成する紙の表面にフィルムを設けたシート材を素材とし、この素材に対し、断裁工程（ロータリーシータ工程とも称する）、打抜工程、及びむしり工程を順に実施することによって形成され、一般にブランクス、ブランクシート又は打ち抜きシートと称される。
【００３８】
空気極１３は、集電体を構成する矩形状の銅メッシュ１３Ａの両面に、触媒層を構成する触媒シート１３Ｂを圧迫（プレス）等により一体化して形成されている。銅メッシュ１３Ａの一部は触媒シート１３Ｂの外に露出し、露出した部分は空気極１３の端子１３Ｔとして用いられる。また、空気極１３は、外部の空気を外装体１１内に通気可能にする通気性、及び、電解液を漏らさない非透水性を有している。なお、非透水性については、非透水性を有するシートを別途設けて確保するようにしても良い。
【００３９】
空気電池１０は、上記構成に限定されず、公知の空気電池の構成を広く適用可能である。例えば、外装体１１の内部に、電解質である塩化ナトリウムを収容した袋体を配置し、水道水等の水を注液すれば発電するように構成してもよい。
また、金属極１５はマグネシウム合金に限らず、他の素材を用いてもよい。他の素材としては、例えば、亜鉛、鉄、アルミニウム等の金属、又はこれらのいずれかを含む合金を挙げることができる。
【００４０】
以上説明したように、本実施形態の電池収納箱１は、空気電池１０を着脱自在に収容する内箱３と、内箱３の周囲に、空気を利用した断熱空間Ｓ１〜Ｓ５を空けて内箱３を囲う外箱４とを備えている。そして、外箱４は、内箱３の少なくとも前後左右に渡って断熱空間Ｓ１〜Ｓ４を形成すると共に、内箱３内に外部の空気を出入りさせる通気口（孔８Ｂ、隙間８Ｄ及び開口部８Ｅ）を有している。これにより、空気電池１０に十分な空気を供給できると共に、電池反応で発生したガスや熱を外部へ排出することができ、更に直射日光等による内箱３内の温度変化を抑えることができる。したがって、空気電池１０を屋外配置する場合に好適な電池収納箱１を提供可能になる。
【００４１】
また、外箱４は、内箱３との間に、内箱３の前後左右に渡って断熱空間Ｓ１〜Ｓ４を形成する側壁５Ｂと、側壁５Ｂによって囲まれる内部空間を、上方から開閉自在に覆う蓋体４Ｂとを有し、蓋体４Ｂを閉じた際に、蓋体４Ｂが側壁５Ｂの一部に当接し、蓋体４Ｂと側壁５Ｂの他の部分との間に、通気口として機能する隙間８Ｄを有している。これにより、蓋体４Ｂによって雨水の浸入を防止しながら、蓋体４Ｂと側壁５Ｂとの間に空く隙間８Ｄによって内部に空気を流通させることができる。
【００４２】
また、電池収納箱１から下方に突出する足部４Ｃを備え、内側底板３Ａには、内箱３内に外部の空気を出入りさせる通気口として機能する孔８Ｂと、孔８Ｂからの異物の進入を防止するフィルタ８Ｃが設けられている。これにより、電池収納箱１内に空気を流通させながら、下方からの異物の進入を防止できる。
しかも、内側底板３Ａには、空気電池１０をフローティング支持する支持部材８Ａが設けられるので、内側底板３Ａに設けられた孔８Ｂから空気を流入させ易くなる。
【００４３】
また、内箱３前方の断熱空間Ｓ１は、下方が開放し、下方から流入した空気を内箱３内に流入させる開口部８Ｅが設けられているので、断熱空間Ｓ１によって内箱３の断熱を図りながら、断熱空間Ｓ１を介して外部の空気を内箱３内に供給できる。
なお、この構成に限定されず、他の断熱空間Ｓ２〜Ｓ３の下方を開放させ、下方から流入した空気を内箱３内に流入させる開口部８Ｅを設けるようにしてもよい。要は、内箱３の前後左右に位置する断熱空間Ｓ１〜Ｓ４のいずれか１つ以上の下方を開放させ、下方から流入した空気を内箱３内に流入させる開口部８Ｅを設けるようにすればよい。
【００４４】
また、断熱空間Ｓ２には電源ユニット７が収容され、電源ユニット７を収容する断熱空間Ｓ２と蓋体４Ｂとの間には密閉用パッキン６Ｂが設けられるので、電源ユニット７への水分や異物の進入を効果的に防止できる。
なお、電源ユニット７を断熱空間Ｓ２に設ける構成に限定されず、断熱空間Ｓ１〜Ｓ４のいずれに設けてもよい。また、断熱空間Ｓ１〜Ｓ４のうちの複数の断熱空間を、電源ユニット７等の部品の配置スペースに使用してもよい。
【００４５】
また、電池収納箱１は、プラスチックダンボールで形成されるので、繰り返し使用可能な強度を得ながら軽量化でき、金型費等のイニシャルコストの発生を回避できるためコスト低減にも有利である。なお、電池収納箱１の材料は、プラスチックダンボールに限定しなくてもよい。例えば、プラスチックダンボールを除く中空構造を有する他の板材を用いてもよい。中空構造の板材を用いることにより、電池収納箱１を軽量にでき、持ち運びが容易になる。
なお、電池収納箱１の軽量化が不要であったり、更なる耐久性が必要な場合、中空構造以外の板材を用いて形成してもよく、材料は適宜に変更してもよい。
【００４６】
本発明は上述の実施形態に限定されるものではなく、本発明の技術思想に基づいて各種の変形、及び変更が可能である。
例えば、電池収納箱１が、空気電池１０に注液する液体を入れたボトルを収容する収容ボックス１００を備えるようにしてもよい。図９（Ａ）は収容ボックス１００を備えた電池収納箱１の正面図であり、図９（Ｂ）は側面図である。
収容ボックス１００は、上方が開口する直方体形状の箱体１００Ａと、箱体１００Ａを上方から開閉自在に覆う蓋体１００Ｂとを備え、中空の箱体を構成する。この収容ボックス１００は、電解液を入れた複数本のボトルを収容可能に内部が空洞に形成され、電池収納箱１の上面に重ねて配置され、電池収納箱１の上面全体を覆う。
【００４７】
この収容ボックス１００により、電池収納箱１の近傍に電解液を常備できる。しかも、この収容ボックス１００により、直射日光による電池収納箱１内の温度上昇を抑制することも可能である。これにより、直射日光等の影響で空気電池１０が容易に温度上昇する事態をより抑制することが可能になる。
【００４８】
また、上述の実施形態では、電池収納箱１を直方体形状に形成する場合を説明したが、直方体形状に限定しなくてもよい。また、電池収納箱１の各部の形状は適宜に変更してもよく、例えば、側壁３Ｂ、５Ｂについても、上面視で四角形の枠形状に限定しなくてもよく、四角形以外の多角形の枠形状、又は円に沿った枠形状でもよい。また、通気口となる孔８Ｂ、隙間８Ｄ及び開口部８Ｅの形状、位置等についても適宜に変更可能である。
【００４９】
また、電池ボックス２を利用して複数の空気電池１０を電池収納箱１に収納する場合を説明したが、複数の空気電池１０を直接、電池収納箱１に収納してもよい。また、電池収納箱１が、複数の空気電池１０を収容可能な場合を説明したが、１つの空気電池１０を収容する屋外配置用の電池収納箱であってもよい。
【符号の説明】
【００５０】
１  電池収納箱
２  電池ボックス
３  内箱
３Ａ  内側底板（内箱の底板）
３Ｂ  内側側壁（内箱の側壁）
３Ｆ  内側前壁
３Ｇ  内側後壁
３Ｌ  内側左壁
３Ｒ  内側右壁
４  外箱
４Ａ  箱体
４Ｂ  蓋体
４Ｃ  足部
５  留め具
５Ａ  外箱の底板
５Ｂ  外箱の側壁
５Ｆ  外箱の前壁
５Ｇ  外箱の後壁
５Ｌ  外箱の左壁
５Ｒ  外箱の右壁
６Ａ  クッション部材
６Ｂ、６Ｃ  密閉用パッキン
７  電源ユニット
８Ａ  支持部材
８Ｂ  孔（通気口）
８Ｃ  フィルタ
８Ｄ  隙間（通気口）
８Ｅ  開口部（通気口）
１０  空気電池
Ｇ  地面
Ｓ１〜Ｓ４  隙間（断熱空間）
【図１】
2019185990.tif 000003
【図２】
2019185990.tif 000004
【図３】
2019185990.tif 000005
【図４】
2019185990.tif 000006
【図５】
2019185990.tif 000007
【図６】
2019185990.tif 000008
【図７】
2019185990.tif 000009
【図８】
2019185990.tif 000010
【図９】
2019185990.tif 000011
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
空気電池を収納する電池収納箱において、
前記空気電池を着脱自在に収容する内箱と、
前記内箱の周囲に、空気を利用した断熱空間を空けて前記内箱を囲う外箱とを備え、
前記外箱は、前記内箱の少なくとも前後左右に渡って前記断熱空間を形成すると共に、前記内箱内に外部の空気を出入りさせる通気口を有し、
前記外箱は、前記内箱との間に、前記内箱の前後左右に渡って前記断熱空間を形成する側壁と、
前記側壁によって囲まれる内部空間を、上方から開閉自在に覆う蓋体とを有し、
前記蓋体を閉じた際に、前記蓋体が前記側壁の一部に当接し、前記蓋体と前記側壁の他の部分との間に、前記通気口として機能する隙間を有していることを特徴とする電池収納箱。
【請求項２】
当該電池収納箱から下方に突出する足部を備え、
前記内箱の底板には、前記通気口として機能する孔が設けられると共に、前記孔からの異物の進入を防止するフィルタが設けられることを特徴とする請求項１に記載の電池収納箱。
【請求項３】
前記内箱の底板には、前記空気電池をフローティング支持する支持部材が設けられることを特徴とする請求項２に記載の電池収納箱。
【請求項４】
前記内箱の前後左右に位置する前記断熱空間のいずれかは、下方が開放し、
前記下方から流入した空気を前記内箱内に流入させる開口部が設けられていることを特徴とする請求項１乃至３のいずれか一項に記載の電池収納箱。
【請求項５】
前記内箱の前後左右に位置する前記断熱空間のいずれかには、前記空気電池から出力される直流電力を所定電力に変換し、前記電力を負荷に供給する電源ユニットが収容され、
前記電源ユニットを収容する前記断熱空間と、前記蓋体との間には、密閉用パッキンが設けられていることを特徴とする請求項１乃至４のいずれか一項に記載の電池収納箱。
【請求項６】
前記電池収納箱は、中空構造を有する板材で形成されていることを特徴とする請求項１乃至５のいずれか一項に記載の電池収納箱。
【請求項７】
前記電池収納箱の上面には、前記空気電池に注液する液体を入れたボトルを収容可能で、且つ、直射日光による電池収納箱内の温度上昇を抑制可能な中空の箱体が配置されることを特徴とする請求項１乃至６のいずれか一項に記載の電池収納箱。
【手続補正２】
【補正対象書類名】明細書
【補正対象項目名】０００５
【補正方法】変更
【補正の内容】
【０００５】
上述した課題を解決するため、本発明は、空気電池を収納する電池収納箱において、前記空気電池を着脱自在に収容する内箱と、前記内箱の周囲に、空気を利用した断熱空間を空けて前記内箱を囲う外箱とを備え、前記外箱は、前記内箱の少なくとも前後左右に渡って前記断熱空間を形成すると共に、前記内箱内に外部の空気を出入りさせる通気口を有し、前記外箱は、前記内箱との間に、前記内箱の前後左右に渡って前記断熱空間を形成する側壁と、前記側壁によって囲まれる内部空間を、上方から開閉自在に覆う蓋体とを有し、前記蓋体を閉じた際に、前記蓋体が前記側壁の一部に当接し、前記蓋体と前記側壁の他の部分との間に、前記通気口として機能する隙間を有していることを特徴とする。
【手続補正３】
【補正対象書類名】明細書
【補正対象項目名】０００６
【補正方法】削除
【補正の内容】